(57)【特許請求の範囲】
【請求項１】
自車両が走行する走行環境情報を取得する走行環境情報取得手段と、
自車両の走行情報を検出する走行情報検出手段と、
前記走行環境情報取得手段で取得した走行環境情報に基づいて自車走行レーンを認識し、前記自車走行レーンから分岐する分岐路を認識する分岐路認識手段と、
前記分岐路の近傍において、前記自車走行レーンを区画する左右の車線区画線のうち前記分岐路とは反対側の前記車線区画線に対する自車両の対区画線ヨー角が前記分岐路に対して設定された角度閾値以上となったとき、自車両が前記分岐路に進入したことを判定する分岐路進入判定手段と、を備えたことを特徴とする車両の走行制御装置。
【請求項２】
前記角度閾値は、自車速が高いほど小さな値に設定されることを特徴とする請求項１に記載の車両の走行制御装置。
【請求項３】
前記分岐路進入判定手段は、前記対区画線ヨー角が前記角度閾値未満であっても、自車両の中央から前記分岐路とは反対側の前記車線区画線までの対区画線距離が、前記分岐路よりも手前の前記自車走行レーンのレーン幅に基づいて設定されたレーン幅閾値以上であるとき、自車両が前記分岐路に進入したことを判定する請求項１または請求項２に記載の車両の走行制御装置。
【請求項４】
前記分岐路進入判定手段は、前記対区画線ヨー角が前記角度閾値以上であっても、自車両の中央から前記分岐路とは反対側の前記車線区画線までの対区画線距離が、前記分岐路よりも手前の前記自車走行レーンのレーン幅に基づいて設定されたレーン幅閾値の半値未満であるとき、自車両が前記分岐路に進入したことを判定しないことを特徴とする請求項２または請求項３に記載の車両の走行制御装置。
【発明の詳細な説明】
【技術分野】
【０００１】
本発明は、高速道路走行時等における本線から分岐路への進入判定を行う機能を備えた車両の走行制御装置に関する。
【背景技術】
【０００２】
近年、車両の走行制御装置においては、ドライバの運転をより快適且つ安全に行えるようにするため、運転支援制御や自動運転制御を利用した様々な技術が開発され実用化されている。
【０００３】
このような運転支援制御や自動運転制御では、道路上における自車位置を正確に把握することが重要となる。特に高速道路に設けられたランプウェイ等の分岐路には、分岐直後に急カーブが存在する場合が多く、当該カーブに対して適切な減速制御等を実現するためには、自車両が高速道路上の本線を走行しているのか或いは分岐路を走行しているのかの別を速やかに判断することが望ましい。
【０００４】
その一方で、ランプウェイ等の分岐路は本線に対して小さなヨー角にて緩やかに分岐しているため、分岐路への侵入直後は、自車両が高速道路上の本線を走行しているのか分岐路を走行しているのかを、ナビゲーションシステム等から供給される位置情報に基づいて直ちに判断することが困難な場合がある。
【０００５】
これに対し、例えば、特許文献１には、本線と分岐路との境界付近に標示されるゼブラゾーンを特徴点として左右の道路白線のうち何れか一方の道路白線側のみで検出した後、他方の道路白線側のみで検出する状態となったとき、自車両が分岐路に進入したと判断する技術が開示されている。
【先行技術文献】
【特許文献】
【０００６】
【特許文献１】特許第４６６５６２２号公報
【発明の概要】
【発明が解決しようとする課題】
【０００７】
しかしながら、分岐路に設けられたゼブラゾーン等の特徴点は、多くの車両が横切ることによる擦れ等によって不鮮明な状態となっている場合があり、常に自車両の分岐路への進入を適切に判断できるとは限らない。
【０００８】
本発明は上記事情に鑑みてなされたもので、自車両の本線から分岐路への進入を精度良く速やかに判断することができる車両の走行制御装置を提供することを目的とする。
【課題を解決するための手段】
【０００９】
本発明の一態様による車両の走行制御装置は、自車両が走行する走行環境情報を取得する走行環境情報取得手段と、自車両の走行情報を検出する走行情報検出手段と、前記走行環境情報取得手段で取得した走行環境情報に基づいて自車走行レーンを認識し、前記自車走行レーンから分岐する分岐路を認識する分岐路認識手段と、前記分岐路の近傍において、前記自車走行レーンを区画する左右の車線区画線のうち前記分岐路とは反対側の前記車線区画線に対する自車両の対区画線ヨー角が前記分岐路に対して設定された角度閾値以上となったとき、自車両が前記分岐路に進入したことを判定する分岐路進入判定手段と、を備えたものである。
【発明の効果】
【００１０】
本発明の車両の走行制御装置によれば、自車両の本線から分岐路への進入を精度良く速やかに判断することができる。
【図面の簡単な説明】
【００１１】
【図１】車両の走行制御装置の全体構成図
【図２】分岐路進入判定ルーチンを示すフローチャート（その１）
【図３】分岐路進入判定ルーチンを示すフローチャート（その２）
【図４】分岐路検証条件を例示する説明図
【図５】分岐路進入判定条件を例示する説明図
【図６】地図上の分岐路までの距離の経時的変化を例示する説明図
【図７】前方に分岐路が存在する場合の左右の区画線の角度差の経時的変化を例示する説明図
【図８】自車両が分岐路へ進入する際の対区画線ヨー角の経時的変化を例示する説明図
【図９】車速と対区画線ヨー角の閾値との関係を例示するマップ
【図１０】自車両が分岐路へ進入する際の対区画線距離の経時的変化を例示する説明図
【発明を実施するための形態】
【００１２】
以下、図面を参照して本発明の形態を説明する。図面は本発明の一実施形態に係り、図１は車両の走行制御装置の全体構成図、図２，３は分岐路進入判定ルーチンを示すフローチャート、図４は分岐路検証条件を例示する説明図、図５は分岐路進入判定条件を例示する説明図、図６は地図上の分岐路までの距離の経時的変化を例示する説明図、図７は前方に分岐路が存在する場合の左右の区画線の角度差の経時的変化を例示する説明図、図８は自車両が分岐路へ進入する際の対区画線ヨー角の経時的変化を例示する説明図、図９は車速と対区画線ヨー角の閾値との関係を例示するマップ、図１０は自車両が分岐路へ進入する際の対区画線距離の経時的変化を例示する説明図である。
【００１３】
図１において、符号１は車両の走行制御装置を示し、この走行制御装置１は、走行制御部１０に、周辺環境認識装置１１、ドライバ状態検出装置１２、走行パラメータ検出装置１３、自車位置情報検出装置１４、車車間通信装置１５、道路交通情報通信装置１６、スイッチ群１７等の各入力装置と、エンジン制御装置２１、ブレーキ制御装置２２、ステアリング制御装置２３、表示装置２４、スピーカ・ブザー２５等の各出力装置が接続されて要部が構成されている。
【００１４】
周辺環境認識装置１１は、車両の外部環境を撮影して画像情報を取得するために車室内に設けられた固体撮像素子等を備えたカメラ装置（ステレオカメラ、単眼カメラ、カラーカメラ等）と、車両の周辺に存在する立体物からの反射波を受信するレーダ装置（レーザレーダ、ミリ波レーダ等）、ソナー等（以上、図示せず）で構成されている。
【００１５】
周辺環境認識装置１１は、カメラ装置で撮像した画像情報を基に、例えば、距離情報に対して周知のグルーピング処理を行い、グルーピング処理した距離情報を予め設定しておいた三次元的な道路形状データや立体物データ等と比較することにより、車線区画線データ、道路に沿って存在するガードレール、縁石等の側壁データ、車両（先行車、対向車、併走車、駐車車両）等の立体物データ等を自車両からの相対的な位置（距離、角度）を、速度と共に抽出する。
【００１６】
また、周辺環境認識装置１１は、レーダ装置で取得した反射波情報を基に、反射した立体物の存在する位置（距離、角度）を、速度とともに検出する。このように、周辺環境認識装置１１は走行環境情報取得手段として設けられている。
【００１７】
ドライバ状態検出装置１２は、例えば、ステアリングホイールに設けられ、ドライバの生体信号を検出するステアリングホイール用生体検出センサであり、本実施の形態においては、このステアリングホイール用生体検出センサにより、ドライバのステアリングホイールの保持状態を検出するようになっている。
【００１８】
走行パラメータ検出装置１３は、自車両の走行情報、具体的には、車速、前後加速度、横加速度、操舵角、操舵トルク、ヨーレート、アクセル開度、スロットル開度、及び走行する路面の路面勾配、路面摩擦係数推定値等を検出する。このように、走行パラメータ検出装置１３は、走行情報検出手段として設けられている。
【００１９】
自車位置情報検出装置１４は、例えば、公知のナビゲーションシステムであり、例えば、ＧＰＳ（Global Positioning System：全地球測位システム）衛星から発信された電波を受信し、その電波情報に基づいて現在位置を検出してフラッシュメモリや、ＣＤ（Compact Disc）、ＤＶＤ（Digital Versatile Disc）、ブルーレイ（Blu-ray：登録商標）ディスク、ＨＤＤ（Hard disc drive）等に予め記憶しておいた地図データ上に自車位置を特定する。
【００２０】
この予め記憶される地図データとしては、道路データおよび施設データを有している。道路データは、リンクの位置情報、種別情報、ノードの位置情報、種別情報、ノードにおけるカーブ曲率（或いは、カーブ半径）、および、ノードとリンクとの接続関係の情報、すなわち、道路の分岐、合流地点情報と分岐路における最大車速情報等を含んでいる。施設データは、施設毎のレコードを複数有しており、各レコードは、対象とする施設の名称情報、所在位置情報、施設種別（デパート、商店、レストラン、駐車場、公園、車両の故障時の修理拠点の別）情報を示すデータを有している。そして、地図位置上の自車位置を表示して、操作者により目的地が入力されると、出発地から目的地までの経路が所定に演算され、ディスプレイ、モニタ等の表示装置２４に表示され、また、スピーカ・ブザー２５により音声案内して誘導自在になっている、このように、自車位置情報検出装置１４は、走行環境情報取得手段として設けられている。
【００２１】
車車間通信装置１５は、例えば、無線ＬＡＮなど１００(m)程度の通信エリアを有する狹域無線通信装置で構成され、サーバなどを介さずに他の車両と直接通信を行い、情報の送受信を行うことが可能となっている。そして、他の車両との相互通信により、車両情報、走行情報、交通環境情報等を交換する。車両情報としては車種（本形態では、乗用車、トラック、二輪車等の種別）を示す固有情報がある。また、走行情報としては車速、位置情報、ブレーキランプの点灯情報、右左折時に発信される方向指示器の点滅情報、緊急停止時に点滅されるハザードランプの点滅情報がある。更に、交通環境情報としては、道路の渋滞情報、工事情報等の状況によって変化する情報が含まれている。このように、車車間通信装置１５は、走行環境情報取得手段及び走行情報検出手段として設けられている。
【００２２】
道路交通情報通信装置１６は、所謂、道路交通情報通信システム（VICS：Vehicle Information and Communication System：登録商標）で、FM多重放送や道路上の発信機から、渋滞や事故、工事、所要時間、駐車場の道路交通情報をリアルタイムに受信し、この受信した交通情報を、上述の予め記憶しておいた地図データ上に表示する装置となっている。このように、道路交通情報通信装置１６は、走行環境情報取得手段として設けられている。
【００２３】
スイッチ群１７は、ドライバの運転支援制御に係るスイッチ群で、例えば、速度を予め設定しておいた一定速で走行制御させるスイッチ、或いは、先行車との車間距離、車間時間を予め設定しておいた一定値に維持して追従制御させるためのスイッチ、走行車線を設定車線に維持して走行制御するレーンキープ制御のスイッチ、走行車線からの逸脱防止制御を行う車線逸脱防止制御のスイッチ、先行車（追い越し対象車両）の追い越し制御を実行させる追い越し制御実行許可スイッチ、これら全ての制御を協調して行わせる自動運転制御を実行させるためのスイッチ、これら各制御に必要な車速、車間距離、車間時間、制限速度等を設定するスイッチ、或いは、これら各制御を解除するスイッチ等から構成されている。
【００２４】
エンジン制御装置２１は、例えば、吸入空気量、スロットル開度、エンジン水温、吸気温度、酸素濃度、クランク角、アクセル開度、その他の車両情報に基づき、車両のエンジン（図示せず）についての燃料噴射制御、点火時期制御、電子制御スロットル弁の制御等の主要な制御を行う公知の制御ユニットである。また、エンジン制御装置２１は、自動運転状態の際に、走行制御部１０から、上述の各自動運転制御（障害物等との衝突防止制御、定速走行制御、追従走行制御、レーンキープ制御、車線逸脱防止制御、その他追い越し制御等）に必要な加速度（要求加速度）が入力された場合には、該要求加速度に基づいて駆動トルク（自動運転要求トルク）を算出し、この自動運転要求トルクを目標トルクとするエンジン制御を行う。
【００２５】
ブレーキ制御装置２２は、例えば、ブレーキスイッチ、４輪の車輪速、ハンドル角、ヨーレート、その他の車両情報に基づき、４輪のブレーキ装置（図示せず）をドライバのブレーキ操作とは独立して制御可能で、公知のＡＢＳ制御や、横すべり防止制御等の車両に付加するヨーモーメントを制御するヨーブレーキ制御を行う公知の制御ユニットである。また、ブレーキ制御装置２２は、自動運転状態の際に、走行制御部１０から、上述の各自動運転制御（障害物等との衝突防止制御、定速走行制御、追従走行制御、レーンキープ制御、車線逸脱防止制御、その他追い越し制御等）に必要な減速度（要求減速度）が入力された場合には、該要求減速度に基づいて、各輪ブレーキのホイールシリンダの目標液圧を設定し、ブレーキ制御を行う。
【００２６】
ステアリング制御装置２３は、例えば、車速、操舵トルク、ハンドル角、ヨーレート、その他の車両情報に基づき、車両の操舵系に設けた電動パワーステアリングモータ（図示せず）によるアシストトルクを制御する、公知の制御装置である。また、ステアリング制御装置２３は、上述の走行車線を設定車線に維持して走行制御するレーンキープ制御、走行車線からの逸脱防止制御を行う車線逸脱防止制御、これらを協調して実行する自動運転操舵制御が可能となっており、これらレーンキープ制御、車線逸脱防止制御、自動運転操舵制御に必要な操舵角、目標ハンドル角、或いは、操舵トルクが、走行制御部１０により算出されてステアリング制御装置２３に入力され、入力された制御量に応じて電動パワーステアリングモータが駆動制御される。
【００２７】
表示装置２４は、例えば、モニタ、ディスプレイ、アラームランプ等のドライバに対して視覚的な警告、報知を行う装置である。また、スピーカ・ブザー２５は、ドライバに対して聴覚的な警告、報知を行う装置である。
【００２８】
そして、走行制御部１０は、上述の各装置１１〜１７からの各入力信号に基づいて、障害物等との衝突防止制御、定速走行制御、追従走行制御、レーンキープ制御、車線逸脱防止制御、その他追い越し制御等を協調させて行って自動運転制御等を実行する。この自動運転制御の状態で、走行制御部１０は、地図情報等に基づいて、自車走行レーンからの分岐路の有無を調べる。そして、自車走行レーンから分岐する分岐路が存在することを認識すると、走行制御部１０は、自車走行レーンを区画する車線区画線と自車両との相対関係に基づいて、自車両が本線から分岐路に進入したか否かの判定を行う。
【００２９】
具体的には、走行制御部１０は、自車走行レーンを区画する左右の車線区画線のうち分岐路とは反対側の車線区画線に対する自車両の対区画線ヨー角θｙ（図５参照）が当該分岐路に対して設定された角度閾値Ｐθ以上となったとき、自車両が分岐路に進入したことを判定する。但し、対区画線ヨー角θｙが角度閾値Ｐθ以上であっても、自車両の中央から分岐路とは反対側の車線区画線までの対区画線距離Ｗｏ（図５参照）が分岐路よりも手前の自車走行レーンのレーン幅に基づいて設定されたレーン幅閾値Ｗｔｈの半値未満である場合、走行制御部１０は、自車両が分岐路に進入したことを判定しない。
【００３０】
一方、分岐路の近傍における対区画線ヨー角θｙが角度閾値Ｐθ未満であっても、対区画線距離Ｗｏがレーン幅閾値Ｗｔｈ以上となったとき、走行制御部１０は、自車両が分岐路に進入したことを判定する。
【００３１】
このように、本実施形態において、走行制御部１０は、分岐路認識手段及び分岐路進入判定手段としての各機能を実現する。なお、本実施形態の走行制御部１０は、上述のような車線区画線と自車両との関係に基づく分岐路進入判定の他に、例えば、ＧＰＳ衛星からの位置情報等に基づく分岐路進入判定を行うことが可能となっている。このような構成において、走行制御部１０は、位置情報等に基づいて自車両が分岐路に進入したとの判定がなされる前に、車線区画線と自車両との相対関係に基づいて自車両が分岐路に進入したとの判定がなされた場合、当該車線区画線と自車両との相対関係に基づく判定結果を優先的に採用する。
【００３２】
次に、走行制御部１０において行われる分岐路進入判定について、図２，３に示す分岐路進入判定ルーチンのフローチャートに従って説明する。このルーチンは、設定時間毎に繰り返し実行されるものであり、ルーチンがスタートすると、走行制御部１０は、後述する分岐路進入判定開始フラグＦ２が「１」にセットされているか否かを調べる。
【００３３】
そして、走行制御部１０は、ステップＳ１０１において、分岐路進入判定開始フラグＦ２が「１」にセットされている場合にはステップＳ１１１に進み、分岐路進入判定開始フラグＦ２が「０」にクリアされている場合にはステップＳ１０２に進む。
【００３４】
ステップＳ１０１からステップＳ１０２に進むと、走行制御部１０は、後述する分岐路検証フラグＦ１が「１」にセットされているか否かを調べる。
【００３５】
そして、走行制御部１０は、ステップＳ１０２において、分岐路検証フラグＦ１が「１」にセットされている場合にはステップＳ１１7に進み、分岐路検証フラグＦ１が「０」にクリアされている場合にはステップＳ１０３に進む。
【００３６】
ステップＳ１０２からステップＳ１０３に進むと、走行制御部１０は、ナビゲーションシステムの地図データ等の情報を基に、自車前方の設定距離内に、自車走行レーンから分岐する分岐路が認識されているか否かを調べる。
【００３７】
そして、走行制御部１０は、ステップＳ１０３において、自車前方に分岐路が認識されていないと判定した場合にはそのままルーチンを抜け、自車前方に分岐路が認識されていると判定した場合にはステップＳ１０４に進む。
【００３８】
ステップＳ１０３からステップＳ１０４に進むと、走行制御部１０は、自車両から現在認識されている分岐路までの距離（例えば、分岐開始点までの距離）Ｌｂが予め設定された制御開始距離（設定閾値Ｌｔｈ）以下であるか否かを調べる。
【００３９】
そして、走行制御部１０は、ステップＳ１０４において、分岐路までの距離Ｌｂが設定閾値Ｌｔｈよりも大きいと判定した場合（図６参照）にはそのままルーチンを抜け、分岐路までの距離Ｌｂが設定閾値以下であると判定した場合にはステップＳ１０５に進む。
【００４０】
ステップＳ１０４からステップＳ１０５に進むと、走行制御部１０は、現在認識されている分岐路（地図データ等に基づいて認識されている分岐路）が実在するか否かの検証を、後述のステップＳ１０７〜Ｓ１０９の処理において行ったことを示す分岐路検証フラグＦ１を「１」にセットする。
【００４１】
続くステップＳ１０６において、走行制御部１０は、現在の自車走行レーンのレーン幅Ｗ（図４参照）に基づいてレーン幅閾値Ｗｔｈを設定するとともに、自車両の前方設定距離の地点（前方注視点Ｐｇ）における分岐路側の車線区画線の接線と自車両の前後軸とのなす角度θａ（図４参照）に基づいて角度閾値θｔｈを設定した後、ステップＳ１０７に進む。なお、例えば、図４に示すように、本実施形態において、前方注視点Ｐｇは、自車両からの距離が制御開始距離Ｌｔｈよりも遠方（例えば、数ｍ〜十数ｍ程度遠方）となる地点に設定されている。
【００４２】
ここで、レーン幅閾値Ｗｔｈとしては現在のレーン幅Ｗに所定値を加算等した値を設定することも可能であるが、本実施形態においては、現在のレーン幅Ｗがそのままレーン幅閾値Ｗｔｈとして設定される。また、角度閾値θｔｈとしては、現在のなす角度θａに所定値を加算或いは減算等した値を設定することも可能であるが、本実施形態においては、現在のなす角度θａがそのまま角度閾値θｔｈとして設定される。
【００４３】
ステップＳ１０６からステップＳ１０７に進むと、走行制御部１０は、自車両の前方設定距離の地点（前方注視点Ｐｇ）における車線区画線の状況に基づき、ステップＳ１０７〜ステップＳ１０９までの処理により、現在認識されている分岐路が実在するか否かの検証を行う。
【００４４】
具体的には、ステップＳ１０７に進むと、走行制御部１０は、前方注視点Ｐｇにおける車線区画線の数が現自車位置における車線区画線の数よりも増加しているか否かを調べる。すなわち、自車走行レーンの前方に分岐路が実在する場合、当該分岐路の分岐開始点以遠において周辺環境認識装置１１により認識される車線区画線の数は増加することが想定される。そこで、走行制御部１０は、ステップＳ１０７において、車線区画線が増加している場合には自車両の前方に分岐路が実在すると判定してステップＳ１１０に進み、車線区画線が増加していない場合には別途の検証を行うべくステップＳ１０８に進む。
【００４５】
ステップＳ１０７からステップＳ１０８に進むと、走行制御部１０は、前方注視点Ｐｇにおける左右の車線区画線の角度差｜θａ−θｂ｜が予め設定された角度閾値Δθ以上であるか否かを調べる。すなわち、自車走行レーンの前方に分岐路が実在する場合、自車走行レーンを区画する左右の車線区画線は分岐が完了するまでの一部区間において遠方に向けて拡開する非平行な状態となる。従って、前方注視点Ｐｇが実在する分岐地点に差し掛かっている場合、当該地点における左右の車線区画線の各接線と自車両の前後軸との各なす角度θａ、θｂの差の絶対値は零以上の角度に変化する（図４，７参照）。そこで、走行制御部１０は、ステップＳ１０８において、前方注視点Ｐｇにおける左右の車線区画線の角度差｜θａ−θｂ｜が予め設定された角度閾値Δθ以上である場合には自車両の前方に分岐路が実在すると判定してステップＳ１１０に進み、角度差｜θａ−θｂ｜が角度閾値Δθ未満であると判定した場合には別途の検証を行うべくステップＳ１０９に進む。
【００４６】
ステップＳ１０８からステップＳ１０９に進むと、前方注視店Ｐｇにおけるレーン幅Ｗｇがレーン幅閾値Ｗｔｈに所定値αを加算した値以上であるか否かを調べる。すなわち、自車走行レーンの前方に分岐路が実在する場合、自車走行レーンを区画する左右の車線区画線は分岐が完了するまでの一部区間で略平行な状態から遠方に向けて拡開する状態へと変化する。従って、前方注視点Ｐｇが分岐地点に差し掛かっている場合、当該地点におけるレーン幅Ｗｇは、レーン幅閾値Ｗｔｈよりも所定以上大きくなる。そこで、走行制御部１０は、ステップＳ１０９において、前方注視点Ｐｇにおけるレーン幅Ｗｇがレーン幅閾値Ｗｔｈに所定値αを加算した値以上である場合には自車両の前方に分岐路が実在すると判定してステップＳ１１０に進み、レーン幅Ｗｇがレーン幅閾値Ｗｔｈに所定値αを加算した値未満である場合には自車走行レーン前方に分岐路が実在しない可能性があると判定してそのままルーチンを抜ける。
【００４７】
ステップＳ１０７、ステップＳ１０８、或いは、ステップＳ１０９からステップＳ１１０に進むと、走行制御部１０は、実在することが検証された分岐路に対して自車両の進入判定を開始したことを示す分岐路進入判定開始フラグＦ２を「１」にセットした後、ステップＳ１１１に進む。
【００４８】
ステップＳ１０１或いはステップＳ１１０からステップＳ１１１に進むと、走行制御部１０は、自車両が既に分岐地点を通過したと判断するに十分な距離（より具体的には、ナビゲーションシステムからの位置情報等に基づいて、自車両が本線を走行しているのか或いは分岐路を走行しているのかの別を十分に判断できる距離）まで走行しているか否かを調べる。
【００４９】
そして、ステップＳ１１１において、走行制御部１０は、自車両が分岐地点を通過したと判断するに十分な距離まで走行していると判定した場合にはステップＳ１１6に進み、十分な距離まで走行していないと判定した場合にはステップＳ１１２に進む。
【００５０】
ステップＳ１１１からステップＳ１１２に進むと、走行制御部１０は、自車走行レーンを区画する左右の車線区画線のうち分岐路とは反対側の車線区画線に対する自車両の対区画線ヨー角θｙ（図５参照）が角度閾値Ｐθ以上であるか否かを調べる。ここで、角度閾値Ｐθは、ステップＳ１０６において設定された角度閾値θｔｈに基づいて設定されるものである。
【００５１】
そして、ステップＳ１１２において、走行制御部１０は、対区画線ヨー角θｙが角度閾値Ｐθ未満であると判定した場合にはステップＳ１１４に進み、対区画線ヨー角θｙが角度閾値Ｐθ以上であると判定した場合には自車両が分岐路に進入した可能性が高いと判断してステップＳ１１３に進む。
【００５２】
すなわち、例えば、図５に示すように、分岐路に進入する際の自車両は分岐路とは反対側の車線区画線の自車側方における接線と自車両の中心軸とのなす角度である対区画線ヨー角θｙが大きくなり、この対区画線ヨー角θｙは、通常、本線から分岐路が分岐する際の分岐角度（すなわち、ステップＳ１０６において設定した角度閾値θｔｈに相当する角度）よりも大きくなる（図８参照）。そこで、対区画線ヨー角θｙが、角度閾値θｔｈに基づいて設定された角度閾値Ｐθ以上となった場合には、自車両が分岐路に進入した可能性が高いと判断する。
【００５３】
但し、自車両は、自車速Ｖが高いほど（高速であるほど）小さな操舵にて分岐路に進入することが可能であるため、本実施形態における角度閾値Ｐθは、例えば、図９に示すように、角度閾値θｔｈを基準として、自車速Ｖが高いほど小さな値となるよう可変設定される。
【００５４】
ステップＳ１１２からステップＳ１１３に進むと、走行制御部１０は、対区画線距離Ｗｏがレーン幅閾値Ｗｔｈの半値以上であるか否かを調べる。すなわち、自車両が本線から分岐路に進入するに十分な対区画線ヨー角θｙを有している場合であっても、自車両が分岐路とは反対側の車線区画線寄りに存在する場合、当該対区画線ヨー角θｙは、自車両が自車走行レーンからの車線逸脱を防止するための操舵等によって発生したものである可能性がある。その一方で、自車両が分岐路とは反対側の車線区画線から十分に離間している場合、当該対区画線ヨー角θｙは、自車両が自車走行レーンから逸脱（すなわち、本線から分岐路へ車線変更）するための操舵等によって発生したものである可能生が高い。
【００５５】
そこで、走行制御部１０は、ステップＳ１１３において、対区画線距離Ｗｏを用いた検証を行う。そして、走行制御部１０は、ステップＳ１１３における検証の結果、対区画線距離Ｗｏがレーン幅閾値Ｗｔｈの半値未満であると判定した場合にはそのままルーチンを抜け、対区画線距離Ｗｏがレーン幅閾値Ｗｔｈの半値以上であると判定した場合にはステップＳ１１５に進む。
【００５６】
また、ステップＳ１１２からステップＳ１１４に進むと、走行制御部１０は、対区画線幅Ｗｏがレーン幅閾値Ｗｔｈ以上であるか否かを調べる。すなわち、例えば、図１０に示すように、自車両が車線変更を行うことなく本線を走行している場合には、対区画線幅Ｗｏは、基本的には、レーン幅（レーン幅閾値Ｗｔｈ）の半値の近傍を推移する。その一方で、自車両が分岐路への車線変更を行った場合、対区画線幅Ｗｏは、レーン幅閾値Ｗｔｈを上回ることが予想される。従って、万が一、対区画線ヨー角θｙに基づいて自車両が分岐路に進入したことが判定されなかった場合であっても、対区画線幅Ｗｏがレーン幅閾値Ｗｔｈ以上となっていれば自車両が既に分岐路に進入済みであることを補完的に判定することが可能である。
【００５７】
そこで、走行制御部１０は、ステップＳ１１４において、対区画線幅Ｗｏを用いた補完的な判定を行う。そして、走行制御部１０は、ステップＳ１１４における判定の結果、対区画線幅Ｗｏがレーン幅閾値Ｗｔｈ未満であると判定した場合にはそのままルーチンを抜け、対区画線幅Ｗｏがレーン幅閾値Ｗｔｈ以上であると判定した場合にはステップＳ１１５に進む。
【００５８】
ステップＳ１１３或いはステップＳ１１４からステップＳ１１５に進むと、走行制御部１０は、現在、自車両が本線から分岐路へと進入していると判断した後、ステップＳ１１６に進む。
【００５９】
そして、ステップＳ１１１或いはステップＳ１１５からステップＳ１１６に進むと、走行制御部１０は、分岐路検証フラグＦ１を「０」にクリアするとともに、分岐路進入判定開始フラグＦ２を「０」にクリアした後、ルーチンを抜ける。
【００６０】
また、ステップＳ１０２からステップＳ１１７に進むと、走行制御部１０は、走行制御部１０は、自車両が既に地図上の分岐地点（ステップＳ１０７〜ステップＳ１０９の検証により実在しないと判定された分岐路の分岐地点）を通過したと判断するに十分な距離まで走行しているか否かを調べる。
【００６１】
そして、ステップＳ１１６において、走行制御部１０は、自車両が分岐地点を通過したと判断するに十分な距離まで本線上を走行していると判定した場合にはステップＳ１１８に進み、十分な距離まで走行していないと判定した場合にはそのままルーチンを抜ける。
【００６２】
ステップＳ１１７からステップＳ１１８に進むと、走行制御部１０は、分岐路検証フラグＦ１を「０」にクリアした後、ルーチンを抜ける。
【００６３】
このような実施形態によれば、分岐路の近傍において、自車走行レーンを区画する左右の車線区画線のうち、分岐路とは反対側の車線区画線に対する自車両の対区画線ヨー角θｙが予め設定された角度閾値Ｐθ以上となったとき、自車両が分岐路に進入したことを判定することにより、自車両の本線から分岐路への進入を精度良く速やかに判断することができる。
【００６４】
すなわち、分岐路近傍において、分岐路とは反対側の車線区画線は、分岐路側に存在するゼブラゾーンや車線区画線等と比較して擦れにくく、鮮明に認識することが可能である。また、分岐路とは反対側の車線区画線は、通常、連続した近似曲線等によって認識されるため、仮に一部に擦れ等が発生していたとしても、容易に精度良く認識することが可能である。本実施形態においては、このような特性に着目し、分岐路とは反対側の車線区画線に対する対区画線ヨー角θｙに基づいて分岐路への進入判定を行うことにより、自車両の本線から分岐路への進入を精度良く速やかに判断することができる。
【００６５】
この場合において、対区画線ヨー角θｙが角度閾値Ｐθ以上であっても、自車両の中央から分岐路とは反対側の車線区画線までの距離である対区画線距離Ｗｏが、分岐路よりも手前の自車走行レーンのレーン幅に基づいて設定されたレーン幅閾値Ｗｔｈの半値未満である場合には、自車両が分岐路に進入したことを判定しないことにより、対区画線ヨー角θｙが、分岐路への進入の際に発生したものであるか、或いは、車線逸脱防止等の際に発生したものであるのかの別を的確に切り分けることができる。
【００６６】
また、対区画線ヨー角θｙが角度閾値Ｐθ未満であっても、対区画線距離Ｗｏがレーン幅閾値Ｗｔｈ以上である場合には自車両が分岐路に進入したことを判定することにより、万が一、対区画線ヨー角θｙに基づいて自車両が分岐路に進入したことが判定されなかった場合であっても、対区画線幅Ｗｏがレーン幅閾値Ｗｔｈ以上となっていれば自車両が既に分岐路に進入済みであることを補完的に判定することができる。
【００６７】
なお、本発明は、以上説明した各実施形態に限定されることなく、種々の変形や変更が可能であり、それらも本発明の技術的範囲内である。
【符号の説明】
【００６８】
１  …  走行制御装置
１０  …  走行制御部（分岐路認識手段、分岐路進入判定手段）
１１  …  周辺環境認識装置（走行環境情報取得手段）
１２  …  ドライバ状態検出装置
１３  …  走行パラメータ検出装置（走行情報検出手段）
１４  …  自車位置情報検出装置（走行環境情報取得手段）
１５  …  車車間通信装置（走行環境情報取得手段）
１６  …  道路交通情報通信装置（走行環境情報取得手段）
１７  …  スイッチ群
２１  …  エンジン制御装置
２２  …  ブレーキ制御装置
２３  …  ステアリング制御装置
２４  …  表示装置
２５  …  スピーカ・ブザー
【図１】
0006703423.tif 000002
【図２】
0006703423.tif 000003
【図３】
0006703423.tif 000004
【図４】
0006703423.tif 000005
【図５】
0006703423.tif 000006
【図６】
0006703423.tif 000007
【図７】
0006703423.tif 000008
【図８】
0006703423.tif 000009
【図９】
0006703423.tif 000010
【図１０】
0006703423.tif 000011